【手続補正書】
【提出日】平成17年2月10日(2005.2.10)
【手続補正１】
【補正対象書類名】特許請求の範囲
【補正対象項目名】全文
【補正方法】変更
【補正の内容】
【特許請求の範囲】
【請求項１】
データを取得するデータ取得手段と、前記データ取得手段で取得したデータのうち特定形式のものにスタティックメモリ管理方式によりメモリ領域を割り当てるメモリ領域割当手段と、更新命令に応じて前記特定形式データに割り当てたメモリ領域を解放するメモリ領域解放手段とを有するメモリ管理システムに適用する装置であって、
前記データ取得手段で取得した特定形式データの取得回数を計数する回数計数手段と、前記回数計数手段の計数結果に基づいて前記メモリ管理システムに前記更新命令を出力する更新命令出力手段とを備えることを特徴とするメモリ管理装置。
【請求項２】
請求項１において、
前記特定形式データは、実行型のプログラムデータであることを特徴とするメモリ管理装置。
【請求項３】
請求項１及び２のいずれかにおいて、
前記更新命令出力手段は、前記回数計数手段で計数した送信回数が所定値以上となったときは、前記メモリ管理システムに前記更新命令を出力するようになっていることを特徴とするメモリ管理装置。
【請求項４】
請求項１乃至３のいずれかにおいて、
前記データ取得手段で取得したデータに前記特定形式データの取得要求である特定取得要求が含まれていることを検出する特定取得要求検出手段を備え、
前記回数計数手段は、前記特定取得要求検出手段で検出した特定取得要求の個数を計数することにより前記メモリ管理システムへの前記特定形式データの送信回数を計数するようになっていることを特徴とするメモリ管理装置。
【請求項５】
請求項４において、
前記特定取得要求を含むデータには、前記特定取得要求であることを示す要求識別情報を予め付加しておき、
前記特定取得要求検出手段は、前記データ取得手段で取得したデータから前記要求識別情報を検出することにより当該データに前記特定取得要求が含まれていることを検出するようになっていることを特徴とするメモリ管理装置。
【請求項６】
データを取得するデータ取得手段と、前記データ取得手段で取得したデータのうち特定形式のものにスタティックメモリ管理方式によりメモリ領域を割り当てるメモリ領域割当手段と、更新命令に応じて前記特定形式データに割り当てたメモリ領域を解放するメモリ領域解放手段とを有するコンピュータに実行させるためのプログラムであって、
前記データ取得手段で取得した特定形式データの取得回数を計数する回数計数手段、及び前記回数計数手段の計数結果に基づいて前記更新命令を出力する更新命令出力手段として実現される処理を実行させるためのプログラムであることを特徴とするメモリ管理プログラム。
【請求項７】
請求項６において、
前記特定形式データは、実行型のプログラムデータであることを特徴とするメモリ管理プログラム。
【請求項８】
請求項６及び７のいずれかにおいて、
前記更新命令出力手段は、前記回数計数手段で計数した送信回数が所定値以上となったときは、前記更新命令を出力するようになっていることを特徴とするメモリ管理プログラム。
【請求項９】
データを取得するデータ取得手段と、前記データ取得手段で取得したデータのうち特定形式のものにスタティックメモリ管理方式によりメモリ領域を割り当てるメモリ領域割当手段と、更新命令に応じて前記特定形式データに割り当てたメモリ領域を解放するメモリ領域解放手段とを有するメモリ管理システムに適用する方法であって、
前記データ取得手段で取得した特定形式データの取得回数を計数する回数計数ステップと、前記回数計数ステップの計数結果に基づいて前記メモリ管理システムに前記更新命令を出力する更新命令出力ステップとを含むことを特徴とするメモリ管理方法。
【請求項１０】
請求項９において、
前記特定形式データは、実行型のプログラムデータであることを特徴とするメモリ管理方法。
【請求項１１】
請求項９及び１０のいずれかにおいて、
前記更新命令出力ステップは、前記回数計数ステップで計数した送信回数が所定値以上となったときは、前記メモリ管理システムに前記更新命令を出力するようになっていることを特徴とするメモリ管理方法。
【手続補正２】
【補正対象書類名】明細書
【補正対象項目名】発明の名称
【補正方法】変更
【補正の内容】
【発明の名称】メモリ管理装置及びメモリ管理プログラム、並びにメモリ管理方法
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】変更
【補正の内容】
【００２３】
さらに、本発明に記載のメモリ管理装置は、上記のメモリ管理装置において、
前記特定形式データは、実行型のプログラムデータであることを特徴とする。
【手続補正１０】
【補正対象書類名】明細書
【補正対象項目名】００２４
【補正方法】変更
【補正の内容】
【００２４】
このような構成であれば、メモリ管理システムでは、データを受信すると、メモリ領域割当手段により、受信したデータのうちプログラムデータにスタティックメモリ管理方式によりメモリ領域が割り当てられる。
【手続補正１１】
【補正対象書類名】明細書
【補正対象項目名】００２５
【補正方法】変更
【補正の内容】
【００２５】
一方、メモリ管理装置では、回数計数手段により、データ取得手段で取得されたデータに基づいてメモリ管理システムへのプログラムデータの送信回数が計数され、更新命令出力手段により、その計数結果に基づいてメモリ管理システムに更新命令が出力される。
【手続補正１２】
【補正対象書類名】明細書
【補正対象項目名】００２６
【補正方法】変更
【補正の内容】
【００２６】
メモリ管理システムでは、更新命令を受信すると、メモリ解放手段により、更新命令に応じてプログラムデータに割り当てられたメモリ領域が解放される。
【手続補正１３】
【補正対象書類名】明細書
【補正対象項目名】００２７
【補正方法】変更
【補正の内容】
【００２７】
さらに、本発明に記載のメモリ管理装置は、上記のメモリ管理装置において、
前記更新命令出力手段は、前記回数計数手段で計数した送信回数が所定値以上となったときは、前記メモリ管理システムに前記更新命令を出力するようになっていることを特徴とする。
【手続補正１４】
【補正対象書類名】明細書
【補正対象項目名】００２８
【補正方法】変更
【補正の内容】
【００２８】
このような構成であれば、メモリ管理装置では、回数計数手段で計数された送信回数が所定値以上となると、更新命令出力手段により、メモリ管理システムに更新命令が出力される。
【手続補正１５】
【補正対象書類名】明細書
【補正対象項目名】００２９
【補正方法】変更
【補正の内容】
【００２９】
さらに、本発明に記載のメモリ管理装置は、上記のメモリ管理装置において、
前記データ取得手段で取得したデータに前記特定形式データの取得要求である特定取得要求が含まれていることを検出する特定取得要求検出手段を備え、
前記回数計数手段は、前記特定取得要求検出手段で検出した特定取得要求の個数を計数することにより前記メモリ管理システムへの前記特定形式データの送信回数を計数するようになっていることを特徴とする。
【手続補正１６】
【補正対象書類名】明細書
【補正対象項目名】００３０
【補正方法】変更
【補正の内容】
【００３０】
このような構成であれば、メモリ管理装置では、データ取得手段で取得されたデータに特定取得要求が含まれていると、特定取得要求検出手段により、特定取得要求が含まれていることが検出され、回数計数手段により、検出された特定取得要求の個数が計数され、これによりメモリ管理システムへの特定形式データの送信回数が計数される。
【手続補正１７】
【補正対象書類名】明細書
【補正対象項目名】００３１
【補正方法】変更
【補正の内容】
【００３１】
さらに、本発明に記載のメモリ管理装置は、上記のメモリ管理装置において、
前記特定取得要求を含むデータには、前記特定取得要求であることを示す要求識別情報をあらかじめ付加しておき、
前記特定取得要求検出手段は、前記データ取得手段で取得したデータから前記要求識別情報を検出することにより当該データに前記特定取得要求が含まれていることを検出するようになっていることを特徴とする。
【手続補正１８】
【補正対象書類名】明細書
【補正対象項目名】００３２
【補正方法】変更
【補正の内容】
【００３２】
このような構成であれば、メモリ管理装置では、取得されたデータに要求識別情報が含まれていると、特定取得要求検出手段により、取得されたデータに特定取得要求が含まれていることが検出される。
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】削除
【補正の内容】
【手続補正３２】
【補正対象書類名】明細書
【補正対象項目名】００４６
【補正方法】削除
【補正の内容】
【手続補正３３】
【補正対象書類名】明細書
【補正対象項目名】００４７
【補正方法】削除
【補正の内容】
【手続補正３４】
【補正対象書類名】明細書
【補正対象項目名】００４８
【補正方法】削除
【補正の内容】
【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】削除
【補正の内容】
【手続補正３７】
【補正対象書類名】明細書
【補正対象項目名】００５１
【補正方法】削除
【補正の内容】
【手続補正３８】
【補正対象書類名】明細書
【補正対象項目名】００５２
【補正方法】削除
【補正の内容】
【手続補正３９】
【補正対象書類名】明細書
【補正対象項目名】００５３
【補正方法】変更
【補正の内容】
【００５３】
一方、上記目的を達成するために、本発明に記載のメモリ管理プログラムは、
データを取得するデータ取得手段と、前記データ取得手段で取得したデータのうち特定形式のものにスタティックメモリ管理方式によりメモリ領域を割り当てるメモリ領域割当手段と、更新命令に応じて前記特定形式データに割り当てたメモリ領域を解放するメモリ領域解放手段とを有するコンピュータに実行させるためのプログラムであって、
前記データ取得手段で取得した特定形式データの取得回数を計数する回数計数手段、および前記回数計数手段の計数結果に基づいて前記更新命令を出力する更新命令出力手段として実現される処理を実行させるためのプログラムであることを特徴とする。
【手続補正４０】
【補正対象書類名】明細書
【補正対象項目名】００５４
【補正方法】変更
【補正の内容】
【００５４】
このような構成であれば、コンピュータによってプログラムが読み取られ、読み取られたプログラムに従ってコンピュータが処理を実行すると、本発明に記載のメモリ管理装置と同等の作用が得られる。
さらに、本発明に記載のメモリ管理プログラムは、上記のメモリ管理プログラムにおいて、
前記特定形式データは、実行型のプログラムデータであることを特徴とする。
さらに、本発明に記載のメモリ管理プログラムは、上記のメモリ管理プログラムにおいて、
前記更新命令出力手段は、前記回数計数手段で計数した送信回数が所定値以上となったときは、前記更新命令を出力するようになっていることを特徴とする。
【手続補正４１】
【補正対象書類名】明細書
【補正対象項目名】００５５
【補正方法】削除
【補正の内容】
【手続補正４２】
【補正対象書類名】明細書
【補正対象項目名】００５６
【補正方法】削除
【補正の内容】
【手続補正４３】
【補正対象書類名】明細書
【補正対象項目名】００５８
【補正方法】変更
【補正の内容】
【００５８】
ここで、回数計数ステップは、データ取得手段で取得した特定形式データの取得回数を計数できればどのような方法であってもよく、より具体的には、特定形式データの取得回数を推定または実測により計数することができる。例えば、メモリ管理システムと一体に構成する場合は、実測により計数すればよいし、メモリ管理システムと別体に構成する場合は、実測が困難なので推定により計数すればよい。
さらに、本発明に記載のメモリ管理方法は、上記のメモリ管理方法において、
前記特定形式データは、実行型のプログラムデータであることを特徴とする。
さらに、本発明に記載のメモリ管理方法は、上記のメモリ管理方法において、
前記更新命令出力ステップは、前記回数計数ステップで計数した送信回数が所定値以上となったときは、前記メモリ管理システムに前記更新命令を出力するようになっていることを特徴とする。
【手続補正４４】
【補正対象書類名】明細書
【補正対象項目名】００５９
【補正方法】削除
【補正の内容】